(57)【要約】      （修正有）【課題】全体の小型化を実現しながら誤挿入がされたときにもバッテリ収納部が破損しないようにできる電源供給装置を提供する。【解決手段】バッテリセル１０ａが内蔵された略直方体形状のパック本体１１と、パック本体１１の前面に設けられた端子部２１とを備える。パック本体１１は、上面１１ａ及び底面１１ｂと相対する側面１１ｃ，１１ｄとがなすコーナ部１２，１３に面取り部を設ける。端子部２１は、前面において、幅方向と高さ方向の中心線Ｐ１，Ｐ２に対して偏倚した位置に突出して設けられる。一方のコーナ部１２は、Ｃ面形状を有し、他方のコーナ部１３は、このＣ面形状に内接するＲ面を有する。【選択図】図５
0003160044.tif 000002
【実用新案登録請求の範囲】
【請求項１】
バッテリセルが内蔵された略直方体形状のパック本体と、
上記パック本体の前面に設けられた端子部とを備え、
上記パック本体は、上面及び底面と相対する側面とがなすコーナ部に面取り部が設けられ、
上記端子部は、上記パック本体の前面において、幅方向と高さ方向の中心線に対して偏倚した位置に突出して設けられている電源供給装置。
【請求項２】
上記パック本体の相対する側面と底面とがなすコーナ部の面取り部と上記パック本体の相対する側面と上面とがなすコーナ部の面取り部は、共に、Ｃ面形状を有する
請求項１記載の電源供給装置。
【請求項３】
上記パック本体の相対する側面と上面とがなすコーナ部の面取り部のＣ面形状は、上記パック本体の相対する側面と底面とがなすコーナ部の面取り部のＣ面形状と同じＣ面形状に内接するＲ面形状を有する
請求項２記載の電源供給装置。
【請求項４】
上記パック本体の前面と上面及び底面とがなすコーナ部と上記パック本体の背面と上面及び底面とがなすコーナ部とは、共に面取り部が形成され、
上記パック本体の背面と上面及び底面とがなすコーナ部の面取りを、上記パック本体の前面と上面及び底面とがなすコーナ部より小さくしている
請求項１記載の電源供給装置。
【請求項５】
上記パック本体の前面には、上記相対する側面と上記底面とに跨った凹部が形成されている
請求項４記載の電源供給装置。
【請求項６】
上記パック本体の相対する側面と底面とがなすコーナ部の面取り部と上記パック本体の相対する側面と上面とがなすコーナ部の面取り部は、共に、Ｒ面形状を有する
請求項１記載の電源供給装置。
【考案の詳細な説明】
【技術分野】
【０００１】
本考案は、ディジタルスチルカメラ、ディジタルビデオカメラ等の小型の電子機器のバッテリ収納部に収納されて、この電子機器に対して電源を供給するバッテリパックやＤＣプレートと言った電源供給装置に関する。
【背景技術】
【０００２】
ディジタルスチルカメラ、ディジタルビデオカメラ、携帯電話等の小型の電子機器には、リチウムイオン二次電池のようなバッテリパックが着脱可能な状態で装着されている。
【０００３】
このバッテリパックは、一般に、すべてのコーナ部をＲ面形状として、ユーザが挿入方向を誤って電子機器のバッテリ収納部に挿入したときにも、バッテリ収納部の内壁等を破壊しないようにしていることが多い。
【０００４】
また、バッテリパックの中には、ユーザがバッテリパックの挿入方向を誤ってバッテリ収納部に挿入しないようにするため、表面にリブ等の突部を複数設けて左右や上下に非対称形状としているものもある。しかしながら、リブ等の突部を設けたバッテリパックは、表面に凹凸を設けることになり、バッテリパックの更なる小型化の妨げとなる。
【先行技術文献】
【特許文献】
【０００５】
【特許文献１】特開２００３−３６８２８号公報
【考案の概要】
【考案が解決しようとする課題】
【０００６】
本考案は、以上のような課題に鑑み、全体の小型化を実現しながら誤挿入がされたときにもバッテリ収納部を破損しないようにできる電源供給装置を提供することを目的とする。
【０００７】
また、本考案は、バッテリ収納部への誤挿入を防止する電源供給装置を提供することを目的とする。
【課題を解決するための手段】
【０００８】
上述の課題を解決するために、本考案に係る電源供給装置は、バッテリセルが内蔵された略直方体形状のパック本体と、上記パック本体の前面に設けられた端子部とを備える。上記パック本体は、上面及び底面と相対する側面とがなすコーナ部に面取り部が設けられ、小型化を図り、上記端子部は、上記パック本体の前面において、幅方向と高さ方向の中心線に対して偏倚した位置に突出して設けられ、誤挿入の際にも、バッテリ収納部側の接続端子が端子部と衝突することが防止され、また、突出された分、上記パック本体が小型化される。
【０００９】
上記パック本体の相対する側面と底面とがなすコーナ部の面取り部と上記パック本体の相対する側面と上面とがなすコーナ部の面取り部は、共に、Ｃ面形状又はＲ面形状を基調とする。面取り部を同じ形状にして、バッテリ収納部に誤挿入されたときにも、バッテリ収納部の内壁等を破損しないようにする。
【００１０】
上記パック本体の相対する側面と底面とがなすコーナ部の面取り部と上記パック本体の相対する側面と上面とがなすコーナ部の面取り部がＣ面形状を基調とする場合、上記パック本体の相対する側面と上面とがなすコーナ部の面取り部のＣ面形状は、上記パック本体の相対する側面と底面とがなすコーナ部の面取り部のＣ面形状と同じＣ面形状に内接するＲ面形状を有する。上記パック本体は、上記パック本体の相対する側面と上面とがなすコーナ部の面取り部と上記パック本体の相対する側面と底面とがなすコーナ部の面取り部との形状を異ならせて、誤挿入を防止している。
【００１１】
また、上記パック本体の前面と上面及び底面とがなすコーナ部と上記パック本体の背面と上面及び底面とがなすコーナ部とは、共に面取り部が形成されるようにしても良い。この場合、上記パック本体は、背面と上面及び底面とがなすコーナ部の面取りを、上記パック本体の前面と上面及び底面とがなすコーナ部より小さくし、ロック部材が係合し易くする。
【００１２】
また、上記パック本体の前面には、上記相対する側面と上記底面とに跨った凹部が形成されている。例えば、バッテリパックには、上記凹部を設け、同じバッテリ収納部に収納されるＤＣプレートには、凹部を設けないようにする。これにより、上記ＤＣプレートは、上記バッテリパックの凹部に係合する位置決め突部が形成された充電装置のバッテリ装着部に、装着されることを阻止できる。
【考案の効果】
【００１３】
本考案によれば、パック本体の上面及び底面と相対する側面とがなすコーナ部に面取り部が設けられているので、全体の小型化を実現することができる。また、端子部が、パック本体の前面において、幅方向と高さ方向の中心線に対して偏倚した位置に突出して設けられているので、誤挿入の際にも、バッテリ収納部側の接続端子が端子部と衝突することを防止することができる。また、端子部を突出させた分、パック本体を小型化できる。
【図面の簡単な説明】
【００１４】
【図１】ディジタルスチルカメラの斜視図である。
【図２】ディジタルスチルカメラのバッテリ収納部を示す要部斜視図である。
【図３】本考案が適用されたバッテリパックを前面側から見た斜視図である。
【図４】本考案が適用されたバッテリパックを背面側から見た斜視図である。
【図５】本考案が適用されたバッテリパックの正面図である。
【図６】本考案が適用されたバッテリパックの側面図である。
【図７】パック本体の端子部を説明する図であり、（Ａ）は、端子部とパック本体の前面が面一の参考例を示し、（Ｂ）は、端子部がパック本体の前面より突出した本考案が適用されたパック本体を示す。
【図８】パック本体の端子部の配置を説明する図であり、（Ａ）は、本考案が適用された端子部の配置を示し、（Ｂ）は、本考案の参考例の端子配置を示す。
【図９】充電装置の斜視図である。
【図１０】充電装置の平面図である。
【図１１】本考案が適用されたＤＣプレートの斜視図である。
【図１２】バッテリパックが充電装置に装着される状態を説明する図であり、（Ａ）は、バッテリパックの正面図、（Ｂ）は、バッテリパックが充電装置に装着された状態を示す平面図である。
【図１３】ＤＣプレートが充電装置に装着される状態を説明する図であり、（Ａ）は、ＤＣプレートの正面図、（Ｂ）は、ＤＣプレートが充電装置に装着された状態を示す平面図である。
【図１４】本考案が適用されたバッテリパックの変形例の正面図である。
【図１５】本考案が適用されたバッテリパックの変形例の正面図である。
【考案を実施するための形態】
【００１５】
以下、本考案が適用されたバッテリパックについて図面を参照して説明する。なお、考案を実施するための形態の欄では、本考案の適用例を、以下の順に従って説明する。
【００１６】
（１）ディジタルスチルカメラの説明
（２）バッテリパックの説明
（２−１）パック本体の構成
（２−２）端子部の構成
（２−３）ＤＣプレートとの判別（充電装置の説明）
（２−４）バッテリパックのディジタルスチルカメラへの収納方法
（２−５）効果
（３）変形例１（ＤＣプレート）
（４）変形例２
（５）その他の変形例
【００１７】
（１）ディジタルスチルカメラの説明
図１に示すように、本考案が適用されたバッテリパック１０は、電子機器であるディジタルスチルカメラ１に装着される。このディジタルスチルカメラ１は、略矩形をなすカメラ本体２を有し、前面２ａに、ズームレンズ、集光レンズ等複数のレンズ群が内蔵されたレンズ部３が設けられている。また、カメラ本体２には、図示しないが、上面の一方のコーナ部に、被写体を撮像する際に押圧されるレリーズボタンが設けられ、また、カメラ本体２の前面２ａの上面側には、フラッシュ撮影のための発光部が設けられている。
【００１８】
カメラ本体２の長手方向の一方の側は、他の領域より厚くなるように膨出して形成され、把持部９となっている。そして、この把持部９の内部には、バッテリ収納部６が設けられている。
【００１９】
カメラ本体２の下面２ｂには、図２に示すように、バッテリパック１０を収納するための略矩形でバッテリパック１０の前面と略同じ大きさで、且つ、略同じ形状のバッテリ挿入口４が設けられ、更に、このバッテリ挿入口４を開閉するバッテリ蓋５が設けられている。カメラ本体２には、バッテリ挿入口４に連続してバッテリ収納部６が設けられている。バッテリ挿入口４には、バッテリ収納部６に装着されたバッテリパック１０を収納位置に保持するためのロック部材７が設けられている。ロック部材７は、バッテリパック１０がバッテリ収納部６に装着されたとき、接続端子のバネ圧や排出バネによって排出方向に付勢されるバッテリパック１０の背面のコーナ部と係合して、バッテリ収納部６より脱落することを防止する。
【００２０】
具体的に、このロック部材７は、バッテリ挿入口４の近傍に、回動自在に取り付けられている。そして、ロック部材７は、回動操作によって、先端部がバッテリ挿入口４上に臨むことで、ロック爪がバッテリ収納部６に装着されているバッテリパック１０の背面のコーナ部と係合する。これによって、ロック部材７は、バッテリパック１０がバッテリ収納部６より接続端子のバネ圧や排出バネのバネ圧によってバッテリ挿入口４より飛び出さないようにする。
【００２１】
また、バッテリ蓋５には、バッテリ挿入口４を開閉するように、バッテリ挿入口４の近傍に回動可能に取り付けられている。このバッテリ蓋５には、先端側に、蓋ロック部８が設けられている。蓋ロック部８は、バッテリ蓋５にスライド可能に設けられている。蓋ロック部８は、バッテリ蓋５がバッテリ挿入口４を閉塞した状態で、バッテリ蓋５の先端部より突出するロック方向にスライドされることで、バッテリ挿入口４の開口端に形成されたロック凹部に係合する。これにより、バッテリ蓋５は、バッテリ挿入口４を閉塞した状態にロックする。また、バッテリ蓋５は、蓋ロック部８を、バッテリ蓋５内に引っ込むロック解除方向にスライドすることで、蓋ロック部８とロック凹部との係合状態を解除する。これにより、バッテリ蓋５は、回動可能となり、バッテリ挿入口４を開けることができる。
【００２２】
なお、バッテリパック１０をバッテリ収納部６より取り外すには、このロック部材７を回動操作して、バッテリ挿入口４上より退避させ、バッテリパック１０の背面コーナ部とロック部材７との係合状態を解除させればよい。これにより、バッテリパック１０は、接続端子のバネ圧や排出バネのバネ圧によって自ずとバッテリ挿入口４より突出するようにして排出される。
【００２３】
（２）バッテリパックの説明
このバッテリ挿入口４より挿入されバッテリ収納部６に装着され、カメラ本体２に対して電力を供給するバッテリパック１０は、例えば、リチウムイオン二次電池が用いられている。
【００２４】
（２−１）パック本体の構成
このバッテリパック１０は、図３及び図４に示すように、内部にリチウムイオン二次電池のバッテリセル１０ａが内蔵されたパック本体１１を有する。このパック本体１１は、全体が略直方体形状に形成されており、６面が略平面となるように形成されている。このパック本体１１の前面１１ｅは、図３−図６に示すように、端子面となっており、端子部２１が形成されている。
【００２５】
パック本体１１の上面１１ａ及び底面１１ｂと相対する側面１１ｃ，１１ｄとがなす第１及び第２のコーナ部１２，１３は、共に、面取り部が形成されている。図５に示すように、パック本体１１の底面１１ｂと相対する側面１１ｃ，１１ｄとがなす第１のコーナ部１２，１２の面取り部は、共に、Ｃ面１２ａとなっており、ここでは、面取り角度が４５°で面取りの寸法が３ｍｍとなっている。また、Ｃ面１２ａの両側は、Ｒ面１２ｂ，１２ｂとなっており、ここでは、半径２ｍｍとなっている。
【００２６】
なお、Ｃ面１２ａやＲ面１２ｂの寸法は、これに限定されるものではない。
【００２７】
また、パック本体１１の上面１１ａと相対する側面１１ｃ，１１ｄとがなす第２のコーナ部１３，１３の面取り部は、図５に示すように、共に、略Ｒ面となっている。具体的に、第２のコーナ部１３，１３は、パック本体１１の第１のコーナ部１２，１２の面取り部のＣ面１２ａと同じＣ面に内接する略Ｒ面１３ａとなっている。具体的に、第２のコーナ部１３，１３は、中程がＣ面１３ａと第１のＲ面１３ｂの連続した形状となっており、ここでは、面取り角度が４５°で面取りの寸法が３ｍｍのＣ面１３ａと半径が５ｍｍの第１のＲ面１３ｂとなっている。第２のコーナ部１３，１３のＣ面１３ａは、第１のコーナ部１２のＣ面１２ａと同じ面取りとなっている。更に、Ｃ面１３ａの上面１１ａ側は、上面１１ａと連続するように、第２のＲ面１３ｃとなっており、ここでは、半径が３．８ｍｍとなっている。また、第１のＲ面１３ｂの底面１１ｂ側は、底面１１ｂと連続するように第３のＲ面１３ｄとなっており、ここでは、半径が４．３ｍｍとなっている。
【００２８】
なお、Ｃ面１３ａや第１乃至第３のＲ面１３ｂ−１３ｄの寸法は、これに限定されるものではない。また、この第２のコーナ部１３において、Ｃ面１３ａの部分は、省略し、この省略した部分も第１のコーナ部１２，１２の面取り部のＣ面１２ａと同じＣ面に内接する第１のＲ面１３ｂとしても良い。
【００２９】
以上のように、パック本体１１は、上面１１ａ及び底面１１ｂと相対する側面１１ｃ，１１ｄとがなす第１及び第２のコーナ部１２，１３に面取り部を形成することで、全体の小型化を実現している。また、パック本体１１は、パック本体１１の底面１１ｂ側の第１のコーナ部１２，１２とパック本体１１の上面１１ａ側の第２のコーナ部１３，１３の面取り部とを異なる形状としている。これにより、パック本体１１は、ユーザが手で触ったときに、パック本体１１の上下面を識別できるようにし、バッテリ収納部６への誤挿入を防止するようにしている。
【００３０】
なお、以上説明した第１のコーナ部１２の形状と第２のコーナ部１３の形状は、入れ替えて、第１のコーナ部１２の形状を第２のコーナ部１３の形状とし、第２のコーナ部１３の形状を第１の形状としても良い。
【００３１】
パック本体１１の前面１１ｅと上面１１ａ及び底面１１ｂとがなす前面側コーナ部１４と背面１１ｆと上面１１ａ及び底面１１ｂとがなす背面側コーナ部１５とは、共に面取り部となっている。そして、パック本体１１の背面１１ｆと上面１１ａ及び底面１１ｂとがなす背面側コーナ部１５は、ここでは全周が半径０．５ｍｍのＲ面１５ａとなっている。
【００３２】
また、パック本体１１の前面１１ｅと上面１１ａ及び底面１１ｂとがなす前面側コーナ部１４は、面取り角度が４５°で面取りの寸法が１ｍｍのＣ面１４ａの両側が半径１ｍｍのＲ面１４ｂとなっている。
【００３３】
すなわち、パック本体１１は、前面側コーナ部１４より背面側コーナ部１５の面取りを小さくしている。これにより、パック本体１１の背面側コーナ部１５には、カメラ本体２のバッテリ収納部６側のロック部材７のロック爪が係合し易くなる。加えて、背面側コーナ部１５は、バッテリ収納部６側のロック部材７のロック爪が係合し易くなることで、バッテリ挿入口４のロック部材７の小型化を実現できる。また、パック本体１１は、前面側コーナ部１４と背面側コーナ部１５とに面取り部を形成することで、全体の小型化を実現している。
【００３４】
なお、前面側コーナ部１４と背面側コーナ部１５は、背面側コーナ部１５の面取りが前面側コーナ部１４の面取りより小さいのであれば、Ｃ面、Ｒ面、Ｃ面とＲ面の組合せの何れの形状であっても良い。また、前面側コーナ部１４や背面側コーナ部１５の寸法は、以上の例に限定されるものではない。更に、ロック部材７が係合するコーナ部が前面側コーナ部１４であるときには、上述の例とは逆に、前面側コーナ部１４の面取りを、背面側コーナ部１５より面取りを小さくする。
【００３５】
バッテリセル１０ａを収納するパック本体１１は、図３及び図４に示すように、合成樹脂を射出成形してなるパック半体１６，１７を溶着、接着剤等によって突き合わせ結合してなる。そして、一方のパック半体１６においては、つや消し加工が施されている。パック本体１１は、パック半体１６のつや消し加工によっても、パック本体１１の上下を、触覚や視覚によって識別できるようにしている。また、パック本体１１の上面１１ａには、端子部が設けられる前面１１ｅ側に、三角印等を刻印又は印刷によって、挿入方向表示部１８が形成されている。
【００３６】
（２−２）端子部の構成
パック本体１１の前面１１ｅには、図３、図５、図６及び図７に示すように、端子部２１が形成されている。この端子部２１は、図５に示すように、前面１１ｅにおいて、幅方向の中心線Ｐ１と高さ方向の中心線Ｐ２に対して一方に偏倚した位置に突出して設けられている。具体的に、端子部２１は、パック本体１１の底面１１ｂ側を開放し３方を立ち上がり壁２２で囲み、立ち上がり壁２２の内側に、幅方向の中心線Ｐ１側から順に、マイナス端子２３ａ、コントロール端子２３ｂ、プラス端子２３ｃが設けられている。これら端子２３ａ−２３ｃは、高さ方向のスリット内より接点バネを臨ませ、接点バネを保護するように形成されている。マイナス端子２３ａ、コントロール端子２３ｂ、プラス端子２３ｃの各スリットには、バッテリ収納部６の底面にあるマイナス接続端子、コントロール接続端子、プラス接続端子が進入し、各スリット内の接点バネと電気的に接続される。
【００３７】
マイナス端子２３ａ及びプラス端子２３ｃの外側には、ガイド溝２４，２４が形成されている。ガイド溝２４，２４は、各端子部２３ａ−２３ｃのスリットより幅広に形成されている。ガイド溝２４，２４は、バッテリ収納部６に収納された際に、バッテリ収納部６の底面や充電装置の充電端子部にあるガイド突起が係合し、各端子が電気的に接続された部分を保護する。
【００３８】
なお、端子部２１の端子の数は、これに限定されるものではなく、リザーブ端子や他の用途の端子を設けて、４本以上としても良い。また、マイナス端子とプラス端子だけでも良い。
【００３９】
ここで、図７（Ａ）は、参考例として示すバッテリパック１００を示し、図７（Ｂ）は、本考案が適用されたバッテリパック１０を示す。参考例の図７（Ａ）では、パック本体１０１では、端子面が平坦である。このため、パック本体１０１の内部には、バッテリ収納部６の底面に突出して設けられた接続端子６ｂを受け入れる端子部１１１を設けるため深さＤ１の空間が必要となっている。このため、端子部１１１の両側は、空きスペース１１２となり易い。
【００４０】
これに対して、図７（Ｂ）に示しように、本考案のパック本体１１では、端子部２１を突出させた分、パック本体１１内の端子部２１を設けるための前面１１ｅより食い込む空間２１ａを浅くし、深さＤ２とすることができる。すなわち、パック本体１１は、端子部２１を突出させた分（Ｄ３）、小型化することになる。これによって、パック本体１１は、端子部２１の両側の空きスペース２１ｂを小さくすることができ、この分、小型化を実現することができる。また、端子部２１の先端面２１ｃは、カメラ本体２のバッテリ収納部６の底面と一層近づけることができる（図７中Ｃ１＞Ｃ２）。
【００４１】
また、端子部２１の配置について図８を参照して説明する。図８（Ａ）は、本考案を適用したバッテリパック１０を示す。図８（Ａ）中実線で示す下半分は、図５の高さ方向の中心線Ｐ２より下半分を示し、点線で示す上半分は、下半分を点対称に１８０°回転した状態を示す。また、図８（Ｂ）は、本考案の参考例を示し、端子部１２１を、幅方向中央部で、厚さ方向の一方に偏倚した位置に設けている。そして、図８（Ｂ）中実線で示す下半分は、図５の高さ方向の中心線Ｐ２より下半分を示し、点線で示す上半分は、下半分を点対称に１８０°回転した状態を示した図である。図８（Ａ）及び図８（Ｂ）において、下半分を点対称に１８０°回転した状態の端子部２１，１２１の位置（点線で示した部分）は、バッテリパック１０が上下逆に挿入されたときの端子部２１，１２１の位置となる。
【００４２】
本考案が適用された図８（Ａ）において、前面１１ｅの幅方向と厚さ方向の中心線に対して一方に偏倚した位置にある端子部２１は、端子部２１が正規の位置と点対称に位置するときであっても、バッテリ収納部６の底面に突出して設けられた接続端子６ｂと干渉しない位置となる。また、図８（Ａ）の例では、パック本体１１の前面１１ｅにおいて、カメラ本体２のバッテリ収納部６の底面に設けられる排出バネ６ａが接触する領域を大きくすることができる。ここでは半径５ｍｍのコイルバネを使用できるようになる。
【００４３】
これに対して、参考例となる図８（Ｂ）において、バッテリパック１０の前面１１ｅには、端子部１２１を、幅方向中央部で、厚さ方向の一方に偏倚した位置に設けている。端子部１２１は、正規の位置と点対称に位置する場合、バッテリ収納部６の底面に突出して設けられた接続端子６ｂと干渉するおそれがある。また、図８（Ｂ）の例では、パック本体１１の前面１１ｅにおいて、カメラ本体２のバッテリ収納部６の底面に設けられる排出バネ６ａが接触する領域が図８（Ａ）と比較して小さくなってしまう。ここでは半径４ｍｍのコイルバネしか使用できなくなってしまう。
【００４４】
ここでは、図８（Ａ）に示すように、端子部２１の幅方向中央のコントロール端子２３ｂと排出バネ６ａの当たる円形の領域の中心との距離は、１２．３ｍｍとなる。これに対して、図８（Ｂ）の参考例では、端子部１２１の幅方向中央のコントロール端子２３ｂと排出バネ６ａの当たる円形の領域の中心との距離は、１１．３５ｍｍしか確保することができない。
【００４５】
（２−３）ＤＣプレートとの判別（充電装置の説明）
図３及び図５に示すように、パック本体１１の前面１１ｅには、相対する側面１１ｃ，１１ｄと底面１１ｂとに跨った凹部２６，２６が形成されている。この凹部２６，２６は、充電装置に装着された際に、充電装置側の位置決め突部が係合する凹部となる。
【００４６】
図９及び図１０に示すように、充電装置３０は、装置本体３１内に充電回路を備えると共に、バッテリパック１０が装着されるバッテリ装着部３２が形成されている。このバッテリ装着部３２は、パック本体１１の底面１１ｂと略同じ大きさの凹部となっている。バッテリ装着部３２には、パック本体１１の前面１１ｅが突き当てられる一端部に、充電端子部３３となるマイナス充電端子３３ａ、コントロール充電端子３３ｂ、プラス充電端子３３ｃが突出して設けられている。また、バッテリ装着部３２には、ガイド溝２４，２４に係合するガイド突起３５，３５も形成されている。更に、パック本体１１の前面１１ｅが突き当てられる面の両側には、パック本体１１の凹部２６，２６に係合する位置決め突部３４，３４が形成されている。
【００４７】
バッテリパック１０は、パック本体１１の前面１１ｅを挿入端として、バッテリ装着部３２に装着される。すると、位置決め突部３４，３４には、凹部２６，２６に係合して位置決めがされ、更に、バッテリパック１０の端子部２１と充電端子部３３とは電気的に接続され、充電が開始されることになる。
【００４８】
ディジタルスチルカメラ１に電源を供給する装置としては、バッテリ収納部６に収納されるバッテリパック１０の他に、図１１に示すようなＤＣプレート４０がある。このＤＣプレート４０は、ディジタルスチルカメラ１のバッテリ収納部６に、バッテリパック１０に代わって収納されるものであり、家庭用ＡＣ電源をＤＣ電源に変換するＡＣアダプタと接続される。そして、ＤＣプレート４０は、バッテリ収納部６に収納されることで、ディジタルスチルカメラ１に対してＤＣ電源を供給する。このＤＣプレート４０は、バッテリ収納部６に収納されるものであるから、プレート本体４２がバッテリパック１０と同じ大きさで、コード４１が導出される背面側の形状を除いて同じ形状となっている。
【００４９】
なお、ＤＣプレート４０について、バッテリパック１０と同じ部分は、同じ符号を付して詳細は省略する。
【００５０】
このＤＣプレート４０は、バッテリパック１０とバッテリ収納部６への挿入側の形状が同じである。このため、ＤＣプレート４０は、充電装置３０のバッテリ装着部３２に誤装着されてしまうおそれがある。そこで、このＤＣプレート４０の前面側には、相対する側面１１ｃ，１１ｄと底面１１ｂとに跨った凹部２６，２６を形成しないようにしている。
【００５１】
ここで、図１２を用いて、バッテリパック１０が充電装置３０のバッテリ装着部３２に装着される場合を説明する。図１２（Ａ）に示すように、バッテリパック１０のパック本体１１の前面１１ｅには、相対する側面１１ｃ，１１ｄと底面１１ｂとに跨った凹部２６，２６が形成されている。一方、充電装置３０のバッテリ装着部３２には、凹部２６，２６に係合する位置決め突部３４，３４が形成されている。したがって、バッテリパック１０が充電装置３０のバッテリ装着部３２に装着される際には、バッテリ装着部３２の位置決め突部３４，３４が凹部２６，２６に係合する。これにより、バッテリパック１０は、充電装置３０のバッテリ装着部３２に装着される。
【００５２】
一方、ＤＣプレート４０を充電装置３０のバッテリ装着部３２に装着しようとすると、図１３に示すようになる。ＤＣプレート４０の前面側には、図１３（Ａ）に示すように、上述の通り、バッテリパック１０のように、相対する側面１１ｃ，１１ｄと底面１１ｂとに跨った凹部２６，２６が設けられていない。このため、図１３（Ｂ）に示しように、ＤＣプレート４０を充電装置３０のバッテリ装着部３２に装着しようとすると、バッテリ装着部３２の位置決め突部３４，３４が前面１１ｅに突き当たる。これにより、ＤＣプレート４０の端子部２１とバッテリ装着部３２の充電端子部３３とが機械的及び電気的に接続されることを防止することができる。
【００５３】
（２−４）バッテリパックのディジタルスチルカメラへの収納方法
以上のように構成されたバッテリパック１０は、図３に示すように、パック本体１１の前面１１ｅが、カメラ本体２のバッテリ収納部６に連続したバッテリ挿入口４への挿入端となる。バッテリパック１０において、バッテリ挿入口４への挿入方向や上下の向きは、パック本体１１の上面１１ａに形成された挿入方向表示部１８の他に次のようなパック本体１１の構成によって識別することができる。
【００５４】
すなわち、パック本体１１は、底面１１ｂ側の第１のコーナ部１２，１２と上面１１ａ側の第２のコーナ部１３，１３の面取り部とを異なる形状となっている。これにより、パック本体１１は、ユーザが手で触ったときに、パック本体１１の上下面を識別できるようにし、バッテリ収納部６への誤挿入を防止することができる。
【００５５】
また、パック本体１１は、一方のパック半体１６がつや消し加工され、触覚や視覚的にも他方のパック半体１７と識別でき、これにより、バッテリ収納部６への誤挿入を防止することができる。
【００５６】
更に、バッテリパック１０の挿入方向の識別は、パック本体１１の前面側コーナ部１４より背面側コーナ部１５の面取りを小さくなっていることで行うことができる。
【００５７】
以上のように、バッテリパック１０は、視覚や触覚によって、バッテリ収納部６に収納する際の向きを識別することができるようにし、誤挿入を防止するようになっている。
【００５８】
そして、バッテリパック１０は、バッテリ収納部６に収納されると、マイナス端子２３ａ、コントロール端子２３ｂ、プラス端子２３ｃの各スリットに、バッテリ収納部６の底面のマイナス接続端子、コントロール接続端子、プラス接続端子が進入する。そして、バッテリ収納部６のマイナス接続端子、コントロール接続端子、プラス接続端子は、各スリット内の接点バネと電気的に接続される。
【００５９】
なお、ディジタルスチルカメラ１のバッテリ収納部６の底面には、パック本体１１の前面１１ｅにある凹部２６，２６と係合する位置決め突部３４，３４は設けられていない。これは、前面１１ｅに凹部２６，２６が設けられていないＤＣプレート４０をバッテリ収納部６へ収納可能とするためである。
【００６０】
また、パック本体１１の上面１１ａ側の第２のコーナ部１３，１３の形状がパック本体１１の底面１１ｂ側の第１のコーナ部１２，１２の面取り部のＣ面１２ａと同じＣ面に内接する略Ｒ面となっている。したがって、バッテリパック１０が上下逆にバッテリ収納部６に収納されたときにも、バッテリ収納部６に収納することができる。また、パック本体１１は、バッテリ収納部６の内壁等が無理やりバッテリパック１０が挿入されて破損することを防止することができる。また、端子部２１は、前面１１ｅの幅方向と厚さ方向の中心線に対して一方に偏倚した位置にあり、従って、バッテリ収納部６の底面に突出して設けられた接続端子６ｂと接触することがなくなる。これにより、バッテリパック１０が誤挿入されたときにも、端子部２１や接続端子６ｂが互いに干渉や衝突して破損することを防止できる。
【００６１】
バッテリ収納部６にバッテリパック１０が収納されると、パック本体１１の背面側コーナ部１５には、バッテリ挿入口４の近傍に回動自在に取り付けられているロック部材７が回動操作されることによって、ロック部材７のロック爪が係合する。これにより、バッテリパック１０は、バッテリ収納部６より接続端子のバネ圧や排出バネ６ａのバネ圧によってバッテリ挿入口４より飛び出さないようになる。ここで、パック本体１１は、前面側コーナ部１４より背面側コーナ部１５の面取りを小さくしており、ロック部材７のロック爪が係合し易い形状となっている。したがって、パック本体１１は、ロック部材７によるロックを確実に行うことができる。
【００６２】
この後、バッテリ挿入口４の近傍に回動可能に取り付けられているバッテリ蓋５は、バッテリ挿入口４を閉塞し蓋ロック部８によってロックされる。これにより、バッテリパック１０は、ディジタルスチルカメラ１のバッテリ収納部６に確実に収納されることになる。
【００６３】
また、バッテリパック１０をバッテリ収納部６より取り出すには、蓋ロック部８のロックを解除し、バッテリ蓋５を開け、ロック部材７によるロックを解除する。これにより、バッテリパック１０は、接続端子のバネ圧や排出バネのバネ圧によって自ずとバッテリ挿入口４より突出するようにして排出される。
【００６４】
なお、以上、バッテリパック１０をバッテリ収納部６に収納する手順について説明したが、図１１に示したＤＣプレート４０についても、同等な手順で、バッテリ収納部６に収納される。
【００６５】
（２−５）効果
以上のようなバッテリパック１０では、図３−図６に示すように、パック本体１１の上面１１ａ及び底面１１ｂと相対する側面１１ｃ，１１ｄとがなす第１及び第２のコーナ部１２，１３に面取り部を形成することで、全体の小型化を実現できる。また、パック本体１１は、パック本体１１の底面１１ｂ側の第１のコーナ部１２，１２とパック本体１１の上面１１ａ側の第２のコーナ部１３，１３の面取り部とを異なる形状にしている。これにより、パック本体１１は、ユーザが手で触ったときに、パック本体１１の上下面を識別できるようにし、バッテリ収納部６への誤挿入を防止することができる。
【００６６】
また、パック本体１１は、背面側コーナ部１５の面取りを前面側コーナ部１４より小さくしている。これにより、パック本体１１は、背面側コーナ部１５にカメラ本体２のバッテリ収納部６側のロック部材７のロック爪を係合し易くなる。加えて、背面側コーナ部１５は、バッテリ収納部６側のロック部材７のロック爪が係合し易くなることで、バッテリ挿入口４のロック部材７の小型化を実現できる。更に、パック本体１１は、前面側コーナ部１４と背面側コーナ部１５とに面取り部を形成することで、全体の小型化を実現することができる。
【００６７】
また、図７（Ｂ）に示しように、本考案のパック本体１１では、端子部２１を突出させた分、パック本体１１内の端子部２１を設けるための前面１１ｅより食い込む空間２１ａを浅くし深さＤ２とすることができる。すなわち、パック本体１１は、端子部２１を突出させた分（Ｄ３）小型化することができる。これによって、パック本体１１は、端子部２１の両側の空きスペース２１ｂを小さくすることができ、この分、小型化を実現することができる。また、端子部２１の先端面２１ｃは、カメラ本体２のバッテリ収納部６の底面と一層近づけることができる（図７中Ｃ１＞Ｃ２）。
【００６８】
更に、本考案が適用された図８（Ａ）において、前面１１ｅの幅方向と厚さ方向の中心線に対して一方に偏倚した位置にある端子部２１は、端子部２１が正規の位置と点対称に位置するときであっても、バッテリ収納部６の底面に突出して設けられた接続端子６ｂと干渉しない位置となる。したがって、バッテリパック１０が上下逆に挿入されたときであっても、バッテリ収納部６の底面に突出して設けられた接続端子６ｂと干渉することを防止することができる。また、図８（Ａ）の例では、パック本体１１の前面１１ｅにおいて、カメラ本体２のバッテリ収納部６の底面に設けられる排出バネ６ａが接触する領域を大きくすることができる。
【００６９】
更に、バッテリパック１０では、図１２及び図１３に示すように、パック本体１１の前面１１ｅにおいて、凹部２６，２６を設け、ＤＣプレート４０では、プレート本体４２の前面１１ｅにおいて、凹部２６，２６を設けないようにしている。一方、充電装置３０のバッテリ装着部３２では、位置決め突部３４，３４が設けられている。したがって、充電装置３０のバッテリ装着部３２には、凹部２６，２６があるバッテリパック１０のみが装着可能となり、ＤＣプレート４０がバッテリ装着部３２に誤装着されることを防止することができる。
【００７０】
（３）変形例１（ＤＣプレート）
本考案は、以上のようなバッテリパック１０の他に、上述のようなＤＣプレート４０にも適用することができる。図１１に示すように、ＤＣプレート４０は、ディジタルスチルカメラ１のバッテリ収納部６に、バッテリパック１０に代わって収納されるものであり、家庭用ＡＣ電源をＤＣ電源に変換するＡＣアダプタと接続される。そして、ＤＣプレート４０は、バッテリ収納部６に収納されることで、ディジタルスチルカメラ１に対してＤＣ電源を供給する。バッテリ収納部６に収納されるものであるから、このＤＣプレート４０は、プレート本体４２がバッテリパック１０と同じ大きさで、コード４１が導出される背面側の形状を除いて同じ形状となっている。
【００７１】
すなわち、ＤＣプレート４０も、プレート本体４２の上面１１ａ及び底面１１ｂと相対する側面１１ｃ，１１ｄとがなす第１及び第２のコーナ部１２，１３に面取り部を形成することで、全体の小型化の実現を図っている。また、プレート本体４２は、底面１１ｂ側の第１のコーナ部１２，１２と上面１１ａ側の第２のコーナ部１３，１３の面取り部とを異なる形状としている。これにより、プレート本体４２は、ユーザが手で触ったときに、プレート本体４２の上下面を識別できるようにし、バッテリ収納部６への誤挿入を防止することができる（図３−図６参照）。
【００７２】
また、プレート本体４２は、前面側コーナ部１４より背面側コーナ部１５の面取りを小さくしている。これにより、プレート本体４２の背面側コーナ部１５には、カメラ本体２のバッテリ収納部６側のロック部材７のロック爪が係合し易くなる。加えて、背面側コーナ部１５は、バッテリ収納部６側のロック部材７のロック爪が係合し易くなることで、バッテリ挿入口４のロック部材７の小型化を実現できる。更に、プレート本体４２は、前面側コーナ部１４と背面側コーナ部１５とに面取り部を形成することで、全体の小型化を実現することができる（図３−図６参照）。
【００７３】
また、本考案のプレート本体４２では、端子部２１を突出させた分、プレート本体４２内の端子部２１を設けるための前面１１ｅより食い込む空間２１ａを浅くし深さＤ２とすることができる。すなわち、プレート本体４２は、端子部２１を突出させた分（Ｄ３）小型化することができる。これによって、プレート本体４２は、端子部２１の両側の空きスペース２１ｂを小さくすることができ、この分、小型化を実現することができる。また、端子部２１の先端面２１ｃは、カメラ本体２のバッテリ収納部６の底面と一層近づけることができる（図７中Ｃ１＞Ｃ２）（図７参照）。
【００７４】
更に、本考案が適用された図８（Ａ）において、前面１１ｅの幅方向と厚さ方向の中心線に対して一方に偏倚した位置にある端子部２１は、端子部２１が正規の位置と点対称に位置するときであっても、バッテリ収納部６の底面に突出して設けられた接続端子６ｂと干渉しない位置となる。したがって、ＤＣプレート４０が上下逆に挿入されたときであっても、バッテリ収納部６の底面に突出して設けられた接続端子６ｂと干渉することを防止することができる（図８参照）。また、図８（Ａ）の例では、プレート本体４２の前面１１ｅにおいて、カメラ本体２のバッテリ収納部６の底面に設けられる排出バネ６ａが接触する領域を大きくすることができる。
【００７５】
（４）変形例２
なお、本考案が適用されるバッテリパック１０において、パック本体１１の上面１１ａ及び底面１１ｂと相対する側面１１ｃ，１１ｄとがなす第１及び第２のコーナ部１２，１３の面取り部は、次のような形状にしても良い。
【００７６】
図１４は、第１及び第２のコーナ部１２，１３の面取り部を共にＣ面形状としたものである。例えば、図１４に示すように、第１及び第２のコーナ部１２，１３は、共に、Ｃ面１２ｏ、１３ｏの両側に、Ｒ面１２ｐ，１３ｐを形成する。
【００７７】
また、図１５は、第１及び第２のコーナ部１２，１３の面取り部を共にＲ面形状としたものである。例えば、図１５に示すように、第１及び第２のコーナ部１２，１３は、共に、Ｒ面１２ｘ、１３ｘを形成する。
【００７８】
（５）その他の変形例
以上、バッテリパック１０やＤＣプレート４０が用いられるディジタルスチルカメラ１を例に取り説明したが、バッテリパック１０やＤＣプレート４０が用いられる電子機器としては、その他に、次のようなものがある。例えば、電子機器としては、ディジタルビデオカメラ等の撮像機器であっても良い。更に、その他の電子機器としては、ＰＤＡ（Personal Digital Assistant（Personal Data Assistance）、携帯電話、ラップトップコンピュータ等であっても良い。また、バッテリセルとしては、リチウムイオン二次電池に限定されるものはなく、ニッケル水素二次電池等であっても良い。
【符号の説明】
【００７９】
１ ディジタルスチルカメラ、２  カメラ本体、６  バッテリ収納部、６ａ  排出バネ、６ｂ  接続端子、７  ロック部材、８  蓋ロック部、９  把持部、１０  バッテリパック、１０ａ  バッテリセル、１１  パック本体、１１ａ  上面、１１ｂ  底面、１１ｃ，１１ｄ  側面、１１ｅ  前面、１１ｆ  背面、１２  第１のコーナ部、１２ａ  Ｃ面、１２ｂ  Ｒ面、１２ｏ  Ｃ面、１２ｐ  Ｒ面、１２ｘ  Ｒ面、１３  第２のコーナ部、１３ａ  Ｃ面、１３ｂ  第１のＲ面、１３ｃ  第２のＲ面、１３ｄ  第３のＲ面、１３ｏ  Ｃ面、１３ｐ  Ｒ面、１３ｘ  Ｒ面、１４  前面側コーナ部、１４ａ  Ｃ面、１４ｂ  Ｒ面、１５  背面側コーナ部、１５ａ  Ｒ面、１６，１７  パック半体、１８  挿入方向表示部、２１  端子部、２１ａ  空間、２１ｂ  空きスペース、２１ｃ  先端面、２２  立ち上がり壁、２３ａ  マイナス端子、２３ｂ  コントロール端子、２３ｃ  プラス端子、２４  ガイド溝、２６  凹部、３０  充電装置、３１  装置本体、３２  バッテリ装着部、３３  充電端子部、３３ａ  マイナス充電端子、３３ｂ  コントロール充電端子、３３ｃ  プラス充電端子、３４  位置決め突部、３５  ガイド突起、４０  ＤＣプレート、４１  コード、４２  プレート本体、１００  バッテリパック、１０１  パック本体、１１１  端子部、１１２  空きスペース、１２１  端子部
【図１】
0003160044.tif 000003
【図２】
0003160044.tif 000004
【図３】
0003160044.tif 000005
【図４】
0003160044.tif 000006
【図５】
0003160044.tif 000007
【図６】
0003160044.tif 000008
【図７】
0003160044.tif 000009
【図８】
0003160044.tif 000010
【図９】
0003160044.tif 000011
【図１０】
0003160044.tif 000012
【図１１】
0003160044.tif 000013
【図１２】
0003160044.tif 000014
【図１３】
0003160044.tif 000015
【図１４】
0003160044.tif 000016
【図１５】
0003160044.tif 000017